(57)【要約】【課題】穀稈引起し時の穀稈に対する掻送り作用範囲を拡大して、穀稈の掻込搬送を円滑化する。【解決手段】左右の引起し装置（１５Ｌ，１５Ｒ）の引起し作用域内に導入された穀稈を後方の刈刃装置（１６）側に向けて掻込搬送する掻込ラグ（３７）付の掻込ベルト（３６）の始端部に、駆動回転する掻送りスターホイル（４３）を設ける。また、掻送りスターホイル（４３）を、掻込ベルト（３６）の始端側を巻回する掻込プーリ（４１）の下側に、該掻込プーリ（４１）と同軸で軸架する。また、掻込ベルト（３６）の始端側を巻回する掻込プーリ（４１）と掻送りスターホイル（４３）とを一体成型する。【選択図】      図５
2013027350.tif 000002
【特許請求の範囲】
【請求項１】
左右の引起し装置（１５Ｌ，１５Ｒ）の引起し作用域内に導入された穀稈を後方の刈刃装置（１６）側に向けて掻込搬送する掻込ラグ（３７）付の掻込ベルト（３６）の始端部に、駆動回転する掻送りスターホイル（４３）を設けたコンバインの刈取装置。
【請求項２】
前記掻送りスターホイル（４３）を、掻込ベルト（３６）の始端側を巻回する掻込プーリ（４１）の下側に、該掻込プーリ（４１）と同軸で軸架した請求項１記載のコンバインの刈取装置。
【請求項３】
前記掻込ベルト（３６）の始端側を巻回する掻込プーリ（４１）と掻送りスターホイル（４３）とを一体成型した請求項１又は請求項２記載のコンバインの刈取装置。
【請求項４】
前記左右の引起装置（１５Ｌ，１５Ｒ）には、左右の分草具（１４Ｌ，１４Ｒ）によって分草された穀稈を横向き突出姿勢で下方から上方へ移動する引起しラグ（２９）によって引起す引起し経路（Ｙ２）と、該引起し装置（１５Ｌ，１５Ｒ）の下部において下向き突出姿勢の引起しラグ（２９）が前記引起し経路（Ｙ２）の下端側に向けて左右方向に移動して穀稈の株元を掻き寄せる掻寄せ経路（Ｙ１）を形成し、前記掻送りスターホイル（４３）は、前記掻寄せ経路（Ｙ１）を形成するべく引起装置（１５Ｌ，１５Ｒ）の下部に配設した複数のガイドローラ（２８ａ，２８ｂ）のうちの外側のガイドローラ（２８ｂ）の後方に配置した請求項１から請求項３のいずれか一項に記載のコンバインの刈取装置。
【請求項５】
前記掻込ベルト（３６）の始端側を巻回する掻送りスターホイル（４３）の後部を、刈取後の穀稈を掻込搬送する掻込スターホイル（３４）の前部に対して上下にオーバーラップさせた請求項１から請求項４のいずれか一項に記載のコンバインの刈取装置。
【発明の詳細な説明】
【技術分野】
【０００１】
この発明は、コンバインの刈取装置に関する。
【背景技術】
【０００２】
従来、左右引起し装置の背部から引き起し時の穀稈の株元を係止して後方の刈刃中央側に向けて掻込搬送する掻込ベルトからなる掻込搬送機構を平面視で左右ハの字型に配置構成したものがある（例えば、特許文献１参照）。
【先行技術文献】
【特許文献】
【０００３】
【特許文献１】特開２０１０−１０４３４６号公報
【発明の概要】
【発明が解決しようとする課題】
【０００４】
従来技術のものでは、引起し装置の掻寄せ案内領域に対応した掻込ベルトによる充分な掻寄せ案内領域が得られない。
【課題を解決するための手段】
【０００５】
この発明は、上記課題を解決すべく次のような技術的手段を講じた。
即ち、請求項１記載の発明は、左右の引起し装置（１５Ｌ，１５Ｒ）の引起し作用域内に導入された穀稈を後方の刈刃装置（１６）側に向けて掻込搬送する掻込ラグ（３７）付の掻込ベルト（３６）の始端部に、駆動回転する掻送りスターホイル（４３）を設けたコンバインの刈取装置とする。
【０００６】
請求項２記載の発明は、前記掻送りスターホイル（４３）を、掻込ベルト（３６）の始端側を巻回する掻込プーリ（４１）の下側に、該掻込プーリ（４１）と同軸で軸架した請求項１記載のコンバインの刈取装置とする。
【０００７】
請求項３記載の発明は、前記掻込ベルト（３６）の始端側を巻回する掻込プーリ（４１）と掻送りスターホイル（４３）とを一体成型した請求項１又は請求項２記載のコンバインの刈取装置とする。
【０００８】
請求項４記載の発明は、前記左右の引起装置（１５Ｌ，１５Ｒ）には、左右の分草具（１４Ｌ，１４Ｒ）によって分草された穀稈を横向き突出姿勢で下方から上方へ移動する引起しラグ（２９）によって引起す引起し経路（Ｙ２）と、該引起し装置（１５Ｌ，１５Ｒ）の下部において下向き突出姿勢の引起しラグ（２９）が前記引起し経路（Ｙ２）の下端側に向けて左右方向に移動して穀稈の株元を掻き寄せる掻寄せ経路（Ｙ１）を形成し、前記掻送りスターホイル（４３）は、前記掻寄せ経路（Ｙ１）を形成するべく引起装置（１５Ｌ，１５Ｒ）の下部に配設した複数のガイドローラ（２８ａ，２８ｂ）のうちの外側のガイドローラ（２８ｂ）の後方に配置した請求項１から請求項３のいずれか一項に記載のコンバインの刈取装置とする。
【０００９】
請求項５記載の発明は、前記掻込ベルト（３６）の始端側を巻回する掻送りスターホイル（４３）の後部を、刈取後の穀稈を掻込搬送する掻込スターホイル（３４）の前部に対して上下にオーバーラップさせた請求項１から請求項４のいずれか一項に記載のコンバインの刈取装置とする。
【発明の効果】
【００１０】
請求項１記載の発明によれば、掻込ベルト（３６）の始端に掻送りスターホイル（４３）を設けることで、引起し時の穀稈に対する掻送り作用範囲が大きくとれて掻込搬送が適切に行える。
【００１１】
請求項２記載の発明によれば、上記請求項１記載の発明による効果に加えて、穀稈の株元側は掻送りスターホイル（４３）によって強制送りし、それより上部の穂先側は掻込ベルト（３６）によって掻込搬送するので、掻込ベルト（３６）より上側に掻送りスターホイル（４３）を設ける場合のように穀稈の持ち回りがなく、安定した姿勢で整然と掻き寄せ搬送することができる。
【００１２】
請求項３記載の発明によれば、上記請求項１又は請求項２記載の発明による効果に加えて、掻込プーリ（４１）と掻送りスターホイル（４３）を一体成型することで、部品点数が低減し、安価に実現することができる。
【００１３】
請求項４記載の発明によれば、上記請求項１から請求項３のいずれか一項に記載の発明による効果に加えて、掻送りスターホイル（４３）は、引起し装置（１５Ｌ，１５Ｒ）の掻き寄せ経路（Ｙ１）の外側から内側に向けて作用し、引起しラグ（２９）によって掻き寄せられる穀稈の株元を早期に捕らえて掻き寄せ経路（Ｙ１）に沿うように強制送りしてから後方に掻込搬送することができる。
【００１４】
請求項５記載の発明によれば、請求項１から請求項４のいずれか一項に記載の発明による効果に加えて、掻送りスターホイル（４３）の後部と掻込スターホイル（３４）の前部が上下にオーバーラップしているので、掻送りスターホイル（４３）から掻込スターホイル（３４）への引継ぎ搬送が円滑、良好に行える。
【図面の簡単な説明】
【００１５】
【図１】コンバインの側面図
【図２】コンバインの平面図
【図３】コンバインの正面図
【図４】刈取部の要部の正面図
【図５】刈取部の要部の側断面図
【図６】掻込搬送装置の要部の平面図
【図７】掻込ベルト搬送機構の分解斜視図
【図８】刈取部の要部の正面図
【図９】同上要部の平面図
【図１０】刈取部の要部の正面図
【図１１】同上要部の平面図
【図１２】同上要部の平面図
【図１３】刈取部の要部の平面図
【発明を実施するための形態】
【００１６】
この発明の実施例を図面に基づき説明する。
図１乃至図３は、コンバインの全体図を示すものであり、この走行車体１には、走行ミッションを介して駆動される左右一対の走行クローラ２Ｌ，２Ｒを備え、後部に搭載した脱穀装置（脱穀部）３の前方部に刈取装置（刈取部）４を設置し，刈取部４の横側部には、運転席５と、運転席前側のフロント操作ボックス６と、運転席左横側のサイド操作ボックス７とからなる運転操作部を備え、更に、その運転操作部の後方には脱穀粒を一時的に貯留するグレンタンクＧを装備している。
【００１７】
フロント操作ボックス６の右側には、左右方向の操作で機体の進行方向を操向制御し、前後方向の操作で刈取装置４を昇降制御するパワステレバー８が設置されている。運転席５左側のサイド操作ボックス７上には、刈取部４及び脱穀部３への回転動力を断続操作する刈脱クラッチレバー９、図示せぬ無段変速装置を変速して走行速度を変更する変速レバー（ＨＳＴレバー）１０、副変速レバー１１等が配置されている。
【００１８】
刈取部４は、後支持フレーム３１で支持され、この後支持フレーム３１基端部（後端部）を、走行車体１に設けた不図示の支持部に回動自在に軸支している。そして、後支持フレーム３１の中間部と走行車体１の間に設けた刈取昇降シリンダＳの油圧駆動による伸縮により、刈取部４が上下昇降される。
【００１９】
後支持フレーム３１の先端部（前端部）には、左右方向の横支持フレーム３２の左右中間部を連結しており、横支持フレーム３２からコンバインの機体前方に向けて、分草支持フレーム２１を、左右所定間隔をおいて複数配置している。
【００２０】
刈取部４には、立毛する穀稈を左右に分草する左右の分草具１４Ｌ，１４Ｒ及び中央の中分草具１４Ｃと、分草後の穀稈を引き起す左右一対の穀稈引起装置１５Ｌ，１５Ｒ（１５）と、引起し後の穀稈を刈り取るバリカン式刈刃装置１６と、引起し域内に導入された穀稈を刈刃前方から後方に向けて掻込搬送する掻込ベルやスターホイル等の掻込搬送装置１７、掻込搬送後の穀稈を脱穀部に揚上搬送して供給する揚上搬送装置１８等を装備している。
【００２１】
なお、前記各分草具１４は分草支持フレーム２１の先端に取り付けられている。
左右の分草具１４Ｌ，１４Ｒは、先端側が左内側方又は右外側方に向けて回動するよう分草支持フレーム２１の途中部に設けた上下方向の縦軸２２回りに回動自在に枢着している。
【００２２】
通常の２条刈作業を行う場合は、左右の分草具１４Ｌ，１４Ｒは閉状態にあって、左右の分草具１４Ｌ，１４Ｒと中分草具１４Ｃとの間に１条ずつの穀稈が導入され、左右合わせて２条分の穀稈が刈刃側に分草案内されるようになっている。
【００２３】
左右分草具１４Ｌ，１４Ｒのうち、左分草具１４Ｌを外側方に開いた状態（開状態）では、中分草具１４Ｃと左分草具１４Ｌとの間に２条の穀稈が導入され、中分草具１４Ｃと右分草具１４Ｒとの間に導入される１条の穀稈と合わせて３条の穀稈が導入され、３条刈作業が可能となる。
【００２４】
また、左右分草具１４Ｌ，１４Ｒのうち、右分草具１４Ｒを外側方に開いた状態（開状態）は、中分草具１４Ｃと右分草具１４Ｒとの間に２条の穀稈が導入され、中分草具１４Ｃと閉状態の左分草具１４Ｌとの間に導入される１条の穀稈と合わせて３条の穀稈が導入され、上記と同様に３条刈作業ができるようになっている。
【００２５】
そして、左右の分草具１４Ｌ，１４Ｒを外側方に開いた時には、左分草具１４Ｌと中分草具１４Ｃ及び右分草具１４Ｒと中分草具１４Ｃとの間にはそれぞれ２条ずつの穀稈が導入され、左右合わせて４条分の穀稈が導入され、４条刈作業が行えるようになっている。
【００２６】
左右の分草具１４Ｌ，１４Ｒとこれらを遠隔操作する操作レバー１３Ｌ，１３Ｒとは、操作ワイヤ等を介して連動連結され、各操作レバー１３Ｌ，１３Ｒの手前側（前方から後方）への引き操作により、左分草具１４Ｌを左外側方へ、右分草具１４Ｒを右外側方へ回動操作するように連動構成している。
【００２７】
図４に示すように、左右の穀稈引起装置１５Ｌ，１５Ｒは、左右対称形状に構成された引起しケース２５と、ケース内上部に架設された駆動スプロケット２６、テンションスプロケット２７及びケース内下部に左右所定間隔をあけて架設された左右ガイドローラ２８ａ，２８ｂと、それらにわたって掛け回した引起ラグ２９付無端チェン３０とから成り立っている。左右引起装置１５Ｌ，１５Ｒの始端側には、引起ラグ２９によって導入された穀稈を外側から内側方の引起し経路Ｙ２側に向けて掻き寄せる横方向所定幅の掻寄せ経路Ｙ１が設けられている。この掻寄せ経路Ｙ１は、所定間隔をあけて配置した左右のガイドローラ２８ａ，２８ｂ間において構成され、そして、この左右ガイドローラ２８ａ，２８ｂ間のローラ間ピッチを引起ラグ２９，２９間のラグピッチと略同等に設定することで、この掻寄せ経路Ｙ１中において、複数の引起ラグ２９，２９が下向き作用姿勢で横移動するようになっている。なお、引起し経路Ｙ２では引起ラグ２９が横向き姿勢で上昇移行する。
【００２８】
すなわち、引起ラグ２９が、掻寄せ経路Ｙ１の終端位置近傍を移動中、或いは、掻寄せ経路Ｙ１から引起し経路Ｙ２に移行する過程で円弧軌跡を描いて移動中に、穀稈が引起ラグ２９に係合した状態から離脱しても、掻寄せ経路Ｙ１中に他の引起ラグ２９が存在することで穀稈の受け止めができ、引起装置１５Ｌ，１５Ｒでの穀稈の取りこぼしを防止することができる。
【００２９】
従って、上記構成の掻寄せ経路Ｙ１によれば、片側に２条の穀稈が導入されても引起し経路Ｙ２内へ確実に掻き寄せることができる。
掻込搬送装置１７は、刈刃上に対向配置された左右一対の掻込スターホイル３４，３４や掻込ベルト３６等からなるが、掻込ベルト３６は、引起し域内に導入された穀稈を所定間隔置きに突設した弾性変位可能な掻込ラグ３７により係止保持して後方の刈刃１６側に向け、且つこれより後方側まで掻込搬送するものであり、掻込スターホイル軸３５に架設された掻込駆動プーリ４０と、掻込ケース３９の前端部にプーリ軸４２によって架設された掻込プーリ４１とにわたって掛け回され、左右引起し装置１５Ｌ，１５Ｒの背部に配置されている。
【００３０】
左右の掻込ベルト３６，３６の始端側には、左右の引起し装置１５Ｌ，１５Ｒの掻き寄せ作用域内に導入された穀稈の株元を係止して外側から内側に向けて掻き送る掻送りスターホイル４３が強制回転可能に軸支されている。
【００３１】
掻送りスターホイル４３は、掻込プーリ４１の下側でプーリ軸４２と同軸上に架設され、また、この掻送りスターホイル４３と掻込プーリ４１とは一体成形した構成としている。
【００３２】
また、前記掻送りスターホイル４３は、引起し装置の掻寄せ経路Ｙ１の外側ガイドローラ２８ｂの後方に配置し、掻寄せ経路Ｙ１を移行する引起しラグ２９にできるだけ接近位置させて掻寄せ送り作用が良好に行えるようにしている。掻送りスターホイル４３の前端と掻込ベルト３６の前端が側面視で略同一位置となるよう配置構成しておくと、直立姿勢又は前傾姿勢にある穀稈を両者で確実に係止保持して掻寄せ搬送することができる。
【００３３】
掻込ベルト３６始端の掻送りスターホイル４３と刈取後の穀稈を掻込搬送する掻込スターホイル３９とは、その後部と前部とが上下にオーバーラップするように配置してあり、掻送りスターホイルから掻込スターホイルへの引継ぎ搬送が良好に行えるように構成している。
【００３４】
図８及び図９に示すように、掻送りスターホイル４３の非作用側外周部をサイドカバー４４にて覆うことにより、穀稈の巻き付きを防止することができる。
また、図９に示すように、左右のガイド部材４５Ｌ，４５Ｒは、掻送りスターホイル４３と掻込スターホイル３４の歯底円の軌跡に沿った形状とすることで、稈の巻き込みを防止でき、搬送力の向上を図ることができる。
【００３５】
なお、前記掻送りスターホイル４３の回転数を掻込スターホイル３４のそれよりも速くすることによって、掻寄せ時の穀稈の取り込みを敏速にすることができる。掻送りスターホイル４３の回転速度は、掻込スターホイル速度と引起しラグ速度の略中間程度が良い。
【００３６】
図１０〜図１２に示す実施例は、掻込ベルト３６の始端に掻送りスターホイル４３を設けたものにおいて、刈刃１６を中央より分割したツイン刈刃１６Ｌ，１６Ｒとし、中央側が左右端側より後位となるようＶ型に配列した構成としている。これによると、刈刃の左右端側にて、中央側より先に切断するので、切断後の株元長さを揃えることができる。
【００３７】
Ｖ型ツイン刈刃の中央凹部４６を左右一対の掻込スターホイル３４，３４の噛合いラインと一致させた状態に配置構成している。そして、刈刃の駆動は、横支持フレーム３２の刈刃ギヤ伝動ケースより動力を取り出し、ベベルギヤ機構４７、クランク機構４８を介して刈刃を往復動させるように連動構成している。
【００３８】
Ｖ型ツイン刈刃の設定角度αと、掻込ベルトの作用ライン設定角度（又は掻送りスターホイルと掻込スターホイルの接線設定角度）βを略同じ角度に設定することで、株元の切断長さを均一化することができる。
【００３９】
図１３例のＶ型ツイン刈刃１６Ｌ，１６Ｒは、この刃先が進行方向に向うように配置することで、切断性能を高めることができる。
【符号の説明】
【００４０】
１４Ｌ  左分草具
１４Ｒ  右分草具
１４Ｃ    中分草具
１５    穀稈引起し装置
１６    刈刃装置
２８    ガイドローラ
２９    引起しラグ
３４    掻込スターホイル
３６    掻込ベルト
３７    掻込ラグ
４１    掻込プーリ
４３    掻送りスターホイル
Ｙ１    穀稈掻寄せ経路
Ｙ２    穀稈引起し経路
【図１】
2013027350.tif 000003
【図２】
2013027350.tif 000004
【図３】
2013027350.tif 000005
【図４】
2013027350.tif 000006
【図５】
2013027350.tif 000007
【図６】
2013027350.tif 000008
【図７】
2013027350.tif 000009
【図８】
2013027350.tif 000010
【図９】
2013027350.tif 000011
【図１０】
2013027350.tif 000012
【図１１】
2013027350.tif 000013
【図１２】
2013027350.tif 000014
【図１３】
2013027350.tif 000015